(57)【要約】【課題】従来と同じ既存の躯体開口部を利用しつつ外観をカーテンウォール調に仕上げることができる上下連段窓サッシ【解決手段】それぞれ上下枠と左右縦枠とを方形に枠組みした上部窓額縁１と下部窓額縁２とを備え、上部窓額縁１と下部窓額縁２の内側にはサッシ４、１０を取り付けるとともに、上記上部窓額縁１の下端と下部窓額縁２の上端の屋外側を上記サッシ４、１０の屋外面よりも屋外側に突出させ、上部窓額縁１の下端と下部窓額縁２の上端とを目隠し材３によって連結したことを特徴とする。【選択図】図３
2005133501.tif 000002
【特許請求の範囲】
【請求項１】
それぞれ上下枠と左右縦枠とを方形に枠組みした上部窓額縁と下部窓額縁とを備え、上部窓額縁と下部窓額縁の内側にはサッシを取り付けるとともに、上記上部窓額縁の下端と下部窓額縁の上端の屋外側を上記サッシの屋外面よりも屋外側に突出させ、上部窓額縁の下端と下部窓額縁の上端とを目隠し材によって連結したことを特徴とする上下連段窓サッシ。
【請求項２】
それぞれ上下枠と左右縦枠とを方形に枠組みした上部窓額縁と下部窓額縁とを備え、上部窓額縁と下部窓額縁の内側にはサッシを取り付けるとともに、上記上部窓額縁の下端と下部窓額縁の上端の屋外側を上記サッシの屋外面よりも屋外側に突出させる一方、建屋躯体には左右の方立の間に上部開口部と下部開口部とを間隔をおいて形成し、
上記上下部窓額縁の各サッシの屋内側部分を建屋躯体の上下部開口部に嵌合させ、上下部開口部の周縁部に固定し、さらに、上記上部窓額縁の下端と下部窓額縁の上端とを目隠し材によって一体的に連続するように連結する
ことを特徴とする上下連段窓の施工方法。
【発明の詳細な説明】
【技術分野】
【０００１】
本発明は、従来工法で組み立てられた建屋躯体に既存のサッシを利用して全体をカーテンウォール調に仕上げることができる上下連段窓サッシおよび上下連段窓の施工方法に関する。
【背景技術】
【０００２】
一般に、住宅に上下の連段窓を施工するときは、建屋躯体に開口部を上下に形成しておき、各開口部にサッシを取り付け、その後上下開口部の間と周囲を壁仕上げするのが一般的である。
【０００３】
ところで、従来の住宅は上下の窓部と外壁とが略面一に形成され、建物全体として単調であった。そこで、その１つの対応策として、サッシの周囲に窓額縁を回した構造のものが提案されている。ところが、窓額縁は壁面から突出しているものの、外壁面は面一であるから、全体として見れば単調な感じは否めず、その程度ではインパクトのある外観というには十分ではなかった。
【０００４】
最近は、外観をカーテンウォール調に仕上げる工法が行われている。これは、建屋躯体に上下に連続する大きな開口部を形成し、そこに大きな上下連段窓サッシを取付けて仕上げるのである。建屋躯体とサッシの両方とも従来のものとは全く異なるものであるから、外観の意匠性が向上する。
【特許文献１】特開２００２−３３２７７８公報
【発明の開示】
【発明が解決しようとする課題】
【０００５】
しかしながら、上記新工法による上下連段窓は、建屋躯体にも従来にない大きな開口部を形成しなければならないので、躯体の設計が変更したり手順が異なったりするので、慣れない作業が多くなるほか、サッシも従来のものとは全く異なる大型のもので、かなりの重量があり、施工手間がかかるという問題があった。
【０００６】
本発明は上記問題点を解消し、従来と同じ既存の開口部を利用しつつ外観をカーテンウォール調に仕上げることができる上下連段窓サッシおよびその施工方法を提供することをその課題とする。
【課題を解決するための手段】
【０００７】
前記課題を解決するため、本発明に係る上下連段窓サッシは、それぞれ上下枠と左右縦枠とを方形に枠組みした上部窓額縁と下部窓額縁とを備え、上部窓額縁と下部窓額縁の内側にはサッシを取り付けるとともに、上記上部窓額縁の下端と下部窓額縁の上端の屋外側を上記サッシの屋外面よりも屋外側に突出させ、上部窓額縁の下端と下部窓額縁の上端とを目隠し材によって連結したことを特徴とする。
【０００８】
また、上記の上下連段窓の施工方法は、それぞれ上下枠と左右縦枠とを方形に枠組みした上部窓額縁と下部窓額縁とを備え、上部窓額縁と下部窓額縁の内側にはサッシを取り付けるとともに、上記上部窓額縁の下端と下部窓額縁の上端の屋外側を上記サッシの屋外面よりも屋外側に突出させる一方、建屋躯体には左右の方立の間に上部開口部と下部開口部とを間隔をおいて形成し、上記上下部窓額縁の各サッシの屋内側部分を建屋躯体の上下部開口部に嵌合させ、上下部開口部の周縁部に固定し、さらに、上記上部窓額縁の下端と下部窓額縁の上端とを目隠し材によって一体的に連続するように連結することを特徴とする。
【発明の効果】
【０００９】
請求項１に係る発明によれば、上部窓額縁と下部窓額縁が、それぞれサッシ面から屋外側に突出した状態で同じ額縁状に形成されるという基本的構造が同じであるとともに、上部窓額縁と下部窓額縁は目隠し材によって連結されて一体的に構成されているから、下から上まで連続一体の外観を呈するカーテンウォール調の外観の上下連段窓を得ることができる。
【００１０】
請求項２に係る発明によれば、建屋躯体の開口部もサッシも既存のものを利用することができるので、わざわざカーテンウォール調の上下連段窓のための造作を行う必要がないし、施工作業も従来と同じで変える必要がない。
【００１１】
さらに、上下に窓額縁があることにより連続一体効果をより強調することができるとともに、サッシは窓額縁の内側に納まることになるので、上下連段窓の外観をより美麗に仕上げることができる。
【発明を実施するための最良の形態】
【００１２】
図１は本発明に係る上下連段窓サッシの正面図、図２は上下連段窓の分解斜視図、図３、図４は上下連段窓の上下部の縦断面図であり、図５および図６はそれぞれ上下連段窓の上部窓額縁および下部窓額縁の横断面図である。
【００１３】
上図において符号Ａは金属製の上下連段窓サッシ、Ｂは木製の建屋躯体を示す。
【００１４】
上下連段窓サッシＡは上部窓額縁１と下部窓額縁２と目隠し材３とから構成されている。
【００１５】
上部窓額縁１は上下縁材１ａ、１ｂと左右の縦縁材１ｃとから方形に枠組みされている。そして、内側にはサッシ４が取り付けられている。サッシ４はサッシ枠５（図２参照）とサッシ枠の内側に固定された嵌め殺し障子６とからなるもので、既存のサッシをそのまま利用することができるように、上下縁材１ａ、１ｂには通常の嵌め殺し障子用サッシ枠の上下縁材５ａ、５ｂが取り付け可能な取付部７、８が、縦縁材１ｃには上記サッシ枠５の縦縁材５ｃが取り付け可能な取付部９がそれぞれ形成されている。
【００１６】
同様に、下部窓額縁２も上下縁材２ａ、２ｂと左右の縦縁材２ｃとから方形に枠組みされている。そして、内側にはサッシ１０が取り付けられている。サッシ１０はサッシ枠１１とサッシ枠の内側に摺動自在に収納された引き違い障子１２
とからなるもので、既存のサッシをそのまま利用することができるように、上下縁材２ａ、２ｂには通常の引き戸用サッシ枠の上下枠１１ａ、１１ｂが取り付け可能な取付部１３、１４が、縦縁材２ｃには上記サッシ枠の縦枠１１ｃが取り付け可能な取付部１５がそれぞれ形成されている。
【００１７】
なお、上下部窓額縁１、２の屋内側端部周縁には取付縁１６が突出形成されている。さらに、上部窓額縁１と下部窓額縁２はサッシの屋外面よりも屋外側に突出してそれぞれ窓額縁を構成している。上部窓額縁１の下縁材１ｂと下部窓額縁２の上縁材２ｂは同一形状をなしている。さらに、上部窓額縁１の下縁材１ｂと、下部窓額縁２の上下縁材２ａ、２ｂには窓額縁の屋外面よりも屋外側に突出する略同一断面形状の楔形の凸部１７が形成されている。
【００１８】
次に、目隠し材３はアルミニウム、鉄などの金属から構成された目隠し用のパネルで、上部窓額縁１と下部窓額縁２の幅と同じ幅寸法を有し、図３、図４に示されるように、Ｌ形取付金具１８を介して上記上部窓額縁１の下縁材１ｂの下面と、下部窓額縁２の上縁材２ａの上面とを一体的に連結するように配置固定されるようになっている。これにより、上部窓額縁１と目隠し材３と下部窓額縁２とは一体的に結合される。
【００１９】
建屋躯体Ｂには、図２に示されるように、左右の方立２０とその間に配された上部のまぐさ２１と窓台２２とによって上部開口部２３が形成され、下部のまぐさ２４と窓台２５とによって下部開口部２６が形成され、上部開口部２３と下部開口部２６との間には空間２７が形成されている。このような躯体構造は従来から実施されてきたもので、上部開口部２３と下部開口部２６は既存のサッシ４、１０が取り付け可能に形成されている。
【００２０】
次に、上記構成の上下連段窓を建屋躯体Ｂに取り付けるときは、上部窓額縁１のサッシ４の屋内側部分を建屋躯体の上部開口部２３に嵌合させ、上部窓額縁１の取付縁１６を、上部開口部２３の周縁部の屋外面に木ネジで固定する。そして、下部窓額縁２のサッシの屋内側部分を建屋躯体の下部開口部２６に嵌合させ、その取付縁１６を下部開口部２６の周縁部の屋外面に木ネジで固定する。このようにして上下連段窓サッシＡが取り付けられる。その後、上下部窓額縁１、２のサッシ枠５、１１には屋内側から額縁２８と床板２９を取り付け、さらに、屋外側を壁仕上げした後、Ｌ形取付金具１８を介して固定された目隠し材３によって上記上部窓額縁１と下部窓額縁２とを連結し、屋内側に内装材３０を取り付ければ上下連段窓は完成する。なお、目隠し材３は上下部窓額縁１、２の先端に連結してもよい。
【００２１】
以上のように、上下連段窓サッシＡの取り付けは、従来のサッシと同様に、上下部窓額縁１、２の取付縁１６を建屋躯体開口部２３、２６の周縁部の屋外面に止着すればよいので、作業手順は従来と変わらない。
【００２２】
また、上記上下連段窓は、上部窓額縁１と下部窓額縁２が、それぞれサッシ面から屋外側に突出した状態で同様の額縁形状を有するという基本的構造が同じであるとともに、上部窓額縁１と下部窓額縁２は目隠し材３によって連結されて一体的に構成されているから、下から上まで連続一体の外観を呈するカーテンウォール調の外観の上下連段窓を得ることができる。
【００２３】
上下に窓額縁があることにより連続一体効果をより強調することができるとともに、サッシは窓額縁の内側に納まることになるので、上下連段窓の外観をより美麗に仕上げることができる。
【００２４】
しかも、建屋躯体の開口部もサッシも既存のものを利用しているので、わざわざカーテンウォール調の上下連段窓のための設計や造作を行う必要がないし、施工作業も従来と同じで変える必要がない。
【００２５】
なお、上部窓額縁１、下部窓額縁２および目隠し材３は上述の例に限定されない。これらを種々に組み合わせることにより、多様なバリエーションを得ることができる。
【００２６】
例えば、図７に示されるように、上部窓額縁１のサッシ４を引き戸用サッシ、下部窓額縁２のサッシ１０を嵌め殺し窓サッシ（一部に縦辷り窓用サッシも含む）とし、目隠し材３は金属板に多数の孔を形成したパンチングパネルとしてもよく、
図８のように、上部窓額縁１のサッシ４を嵌め殺し用サッシ、下部窓額縁２のサッシ１０を引き戸用サッシとし、目隠し材３を縦格子としてもよい。目隠し材をルーバーとすることもできる。
【００２７】
なお、上記上部窓額縁１と下部窓額縁２は、それぞれサッシの屋内側を建屋躯体の開口部に嵌め込む、いわゆる半外付け用として構成されているが、これに限定されない。内付け用または外付け用として構成してもよい。
【図面の簡単な説明】
【００２８】
【図１】本発明に係る上下連段窓サッシの正面図
【図２】上下連段窓の分解斜視図
【図３】上下連段窓の目隠し材の中間部より上部の縦断面図
【図４】上下連段窓の目隠し材の中間部より下部の縦断面図
【図５】上記上下連段窓の上部窓額縁部分の横断面図
【図６】上記上下連段窓の下部窓額縁部分の横断面図
【図７】上下連段窓サッシの他の例の正面図
【図８】上下連段窓サッシのさらに別の例の正面図
【符号の説明】
【００２９】
Ａ  上下連段窓サッシ
Ｂ  建屋躯体
１  上部窓額縁
２  下部窓額縁
３  目隠し材
４、１０  サッシ
【図１】
2005133501.tif 000003
【図２】
2005133501.tif 000004
【図３】
2005133501.tif 000005
【図４】
2005133501.tif 000006
【図５】
2005133501.tif 000007
【図６】
2005133501.tif 000008
【図７】
2005133501.tif 000009
【図８】
2005133501.tif 000010